(57)【要約】【課題】風吹き範囲を広くしたものでありながら、構造が簡単で製造コストが低廉な扇風機を提供する。【解決手段】スタンドに送風部が旋回自在に取付けられた扇風機であって、送風部は、送風用の羽根５と、羽根５を収容した羽根ガード６と、羽根の回転と送風部自体の旋回を行わせる駆動部７とからなり、案内羽根１１を回動自在に取付けたルーバー１０と、ルーバー１０を羽根ガード６の前面に取付ける取付けアーム２０と、スタンド３とルーバー１０の案内羽根１１との間に連結されたワイヤ３２とからなり、ワイヤ３２の長さは、送風部の正面から旋回動作終端までの長さより短い取付けアーム２０は、羽根ガード６に弾性的に嵌着自在である。【選択図】図１
2013194614.tif 000002
【特許請求の範囲】
【請求項１】
スタンドに送風部本体が旋回自在に取付けられた扇風機であって、
該送風部は、送風用の羽根と、該羽根を収容した羽根ガードと、羽根の回転と送風部自体の旋回を行わせる駆動部とからなり、
案内羽根を回動自在に取付けたルーバーと、
該ルーバーを前記羽根ガードの前面に取付ける取付けアームと、
前記スタンドと前記ルーバーの案内羽根との間に連結された索条とからなり、
該索条の長さは、送風部の正面から旋回動作終端までの長さより短い
ことを特徴とする扇風機。
【請求項２】
前記ルーバーは、
複数枚の案内羽根をピンで回動自在に支持する支持枠と、
前記案内羽根の後端部に回動自在なピンで取付けられ、かつ左右方向に動く揺動バーとからなる
ことを特徴とする請求項１記載の扇風機。
【請求項３】
前記取付けアームは、前記羽根ガードに弾性的に嵌着自在である
ことを特徴とする請求項１または２記載の扇風機。
【発明の詳細な説明】
【技術分野】
【０００１】
本発明は、一般的な首振り機能付き扇風機に可動式ルーバーを取り付けることで風の届く範囲を拡大させた扇風機に関するものである。
【背景技術】
【０００２】
一般的な扇風機の首振り範囲は、水平面内で８０度程度であり、風の届く範囲が限定されていた。このような問題点を解消するものとして、特許文献１の従来技術がある。
【０００３】
図６および図７により特許文献１の扇風機について説明する。この扇風機の基本構造は、図６に示すように、スタンド１６０上に立設されたポール１８０の上端部に回動機構１９０が設けられており、回動機構１９０で気流発生部１２０が水平面内で回動するようになったものである。気流発生部１２０の構造は、図７に示すとおりである。３００は扇風機内部に設置された風向変更ルーバー機構であり、吹出される気流の向きを変更するルーバー３０２とルーバー３０２の下方に設けられたルーバー用モータ３１０を備えている。このルーバー用モータ３１０を気流発生部１２０の動きに応じて動かし、気流の方向を切り替える２個のリミットスイッチ（図示せず）と、ルーバー用モータ３１０の軸に従動節部材３０６を介して固定された偏心カム３０４を設け、また、ルーバー３０２の下端には偏心カム３０４の軸端が係合するようにスイングアーム３０８が固定されている。
【０００４】
スイングアーム３０８には偏心カム３０４の軸端が係合する溝が設けられて偏心カム３０４と係合し、偏心カム３０４の回転運動をスイングアーム３０８に伝えるようになっている。このようなメカニズムに基づき、スイングアーム３０８を動かして、ルーバー３０２を正面から見て、左側または右側に回動させ、ラインフローファン１２２から吹き出される風の吹出す向きを左側または右側に変更するようになっている。
【特許文献１】特開２００２−２１３３８８号公報
【発明の開示】
【発明が解決しようとする課題】
【０００５】
特許文献１の従来技術では、吹出角が１２０°から１８０°へ広角に広がっている。しかし、ルーバー３０１はモータ３１０で作動させ、制御にリミットスイッチを使う。そのため構造が複雑であり製造コストが高くなっている。また、風向変更ルーバー機構が気流発生部１２０の内部に設置されているため取り外しがしにくく、多種類の扇風機に取り付けをすることができないという欠点がある。
【０００６】
本発明は、このような従来の構成が有していた問題を解決しようとするものであり、風の吹出し範囲を広くしたものでありながら、構造が簡単で製造コストが低廉な扇風機を提供することを目的とする。また、多種類の扇風機に後付け可能な汎用性の高い扇風機を提供することを目的とする。
【課題を解決するための手段】
【０００７】
第１発明は、スタンドに送風部本体が旋回自在に取付けられた扇風機であって、該送風部は、送風用の羽根と、該羽根を収容した羽根ガードと、羽根の回転と送風部自体の旋回を行わせる駆動部とからなり、案内羽根を回動自在に取付けたルーバーと、該ルーバーを前記羽根ガードの前面に取付ける取付けアームと、前記スタンドと前記ルーバーの案内羽根との間に連結された索条とからなり、該索条の長さは、送風部の正面から旋回動作終端までの長さより短いことを特徴とする。
第２発明の前記ルーバーは、複数枚の案内羽根をピンで回動自在に支持する支持枠と、前記案内羽根の後端部に回動自在なピンで取付けられ、かつ左右方向に動く揺動バーとからなることを特徴とする。
第３発明の前記取付けアームは、前記羽根ガードに弾性的に嵌着自在であることを特徴とする。
【発明の効果】
【０００８】
第１発明によれば、送風部が旋回範囲の終端付近に近づくと索条がルーバーを引っ張って案内羽根の向きを外方に向かせるので、羽根から送り出された風が案内羽根で更に外向きに向きを変えて送り出される。このため、風の送風範囲が送風部の旋回範囲よりも広くなる。
第２発明によれば、揺動バーを左右方向に動かすと、案内羽根の後端部が左右に動き、支持枠に支持されたピンを介して案内羽根が左右方向に揺動するので、送風部から送られてくる風の向きを更に広角に変えることができる。  
第３発明によれば、取付アームが羽根ガードに対して弾性的に着脱できるので、取付け取外しが容易であり、既存の扇風機への後付けが可能である。
【図面の簡単な説明】
【０００９】
【図１】本発明の一実施形態に係る扇風機の平面図である。
【図２】図１の扇風機の正面図である。
【図３】図１の扇風機の左側面図である。
【図４】ルーバーの断面図である。
【図５】ルーバーによる風向の変化を表した説明図である。
【図６】従来技術の基本構造図である。
【図７】従来技術の詳細構造の説明図である。
【発明を実施するための形態】
【００１０】
以下、本発明の実施の形態として実施例を図１〜図３に基づいて説明する。
図１〜図３において、Ａは本発明の一実施形態に係る首振り式の扇風機であり、一般的な首振り式の扇風器１と、これに付加したルーバー等の追加部材から構成されている。
扇風器１は、ベース２の上に立設されたスタンド３を有し、スタンド３の上端部には送風部４が取付けられている。送風部４は、送風用の羽根５と、この羽根５を収容した羽根ガード６と、駆動部７とからなる。駆動部７は、羽根５の回転と送風部４自体の旋回を行わせる駆動機構であり、ハウジングの内部にはモータやリンク等が収容されている。
上記の構造は、一般的な首振り式の扇風機と異なることはない。
【００１１】
つぎに、追加部材の説明をする。１０はルーバーであり、２０は取付けアームである。ルーバー１０は、複数枚の案内羽根１１と、この案内羽根１１を回動自在に支持する支持枠１２と揺動バー１４とからなる。図４に示すように、支持枠１２は、上下左右の枠材１２ａ、１２ｂ、１２ｃ、１２ｄからなる正面視で四角形の枠体である。各案内羽根１１は、根本近傍が上下の枠材１２ａ、１２ｂに対し、ピン１３、１３で左右方向に回動自在に取付けられている。また、各案内羽根１１基端部は、揺動バー１４にピン１５で支持されている。この揺動バー１４を左右方向に動かすと、ピン１３を中心として各案内羽根１１が左右方向に揺動する。本明細書で左右方向とは、送風部４が首振りを行う横方向を意味している。
【００１２】
取付けアーム２０は、ルーバー１０に固定された左右２本のアーム２１、２１からなり、各アーム２１、２１の先端部は羽根ガード６の外周に嵌着できる嵌着部２２、２２が設けられている。嵌着部２２、２２は羽根ガード６の外周形状（たとえば、凸形湾曲面）に合わせて凹形湾曲面に形成され、かつ弾力性により固定できるようになっている。もちろん、この構造は取り外しも簡単であり、人手による差し込みと引き抜きにより自在に脱着することができる。
【００１３】
静止部材であるスタンド３からはワイヤ固定部３１が前方に延びており、その先端と前記ルーバー１０の後方の揺動バー１４との間に、索条３２が連結されている。この索条としては、細いワイヤやロープ紐、リンク、チェーンなどが用いられる。図示の実施形態では、索条として細いワイヤが用いられている。
ワイヤ３２はワイヤ固定部３１から左右に２本が延びており、それぞれが揺動バー１４の左右両端部に止着されている。
この索条３２の長さは、送風部４の旋回動作終端までの長をより短い長さである。換言すれば、ワイヤ固定部３１から可動式ルーバー１０の左右の末端に接続されたワイヤ３２の長さは、送風部の首振り角の左右の限界より若干短く調節した長さである。このため、ワイヤ３２の長さの不足部分は可動式ルーバー１０のリンクの動きで解消される。また、この作用によって風が首振り角度以上に広がり風の届く範囲を拡大することができる。
【００１４】
つぎに、図５に基づき、扇風機Ａの風変化を説明する。
同図中央の（Ａ）は送風部４が正面を向いている状態を示し、（Ｌ）は左側を向いた状態であり（Ｒ）は右側を向いた状態を示している。
左側を向いた状態では揺動バー１４が引っ張られ、案内羽根１１がさらに左側を向くので、羽根５から送り出された風は案内羽根１１で更に左向きに向きを変えて、送り出される。右側を向いた状態（Ｒ）では、揺動バー１４が引っ張られ、案内羽根がさらに右側を向くので羽根５から送り出された風は案内羽根１１でさらに右向きに向きを変えて送り出される。送風部４が首振り動作により元の向きに戻るときは、反対側のワイヤ３２で案内羽根１１が先の向きに戻される。
【００１５】
上記のような可動式のルーバー１０の動きは扇風機の風の方向を変えるものであり、首振り時の左右の最大振り角の付近のみで稼働する。つまり、可動式ルーバー１０とワイヤ固定部３１につながれた２本のワイヤ１０は扇風機の首振り角が左右の限界に近づくとき、このワイヤ３２が伸びきって可動式ルーバー１０を外側方向へと動かし、これにより風が扇風機の首振り角度以上に広がることができる。
このように、扇風機の首振り角が左右の限界に近づくとき、ワイヤが伸びきって可動式ルーバーを外側方向へと動かすので、本発明の扇風機においては、動力は不要であり、製作コストを低減できる。
【００１６】
また、本実施形態の扇風機 Ａ によると、取り付け用アーム２を用いて扇風機の羽根ガード部を挟むことで可動式ルーバー１０を羽根の前面に固定することができる。このため、首振り機構のついたほとんどの扇風機に後付けによる取り付けが可能であり、汎用性が高くなる。
【符号の説明】
【００１７】
Ａ    扇風機
２０  取り付けアーム
１０  可動式ルーバー
１２  支持枠
１４  揺動バー
３１  ワイヤ固定部
３２  ワイヤ
【図１】
2013194614.tif 000003
【図２】
2013194614.tif 000004
【図３】
2013194614.tif 000005
【図４】
2013194614.tif 000006
【図５】
2013194614.tif 000007
【図６】
2013194614.tif 000008
【図７】
2013194614.tif 000009